(57)【特許請求の範囲】
【請求項１】
移動農機の後部にマルチフィルム被覆装置Ｃを配置し、マルチフィルムＦｃをロール状に巻いたマルチフィルムロールＦを左右水平方向に支持して、マルチフィルムＦｃを後方へ引出し、畝上に被覆する構成において、
マルチフィルム支持フレーム２２をマルチフィルム被覆装置Ｃの本機側に固定し、該マルチフィルム支持フレーム２２を平面視四角形の枠状に構成し、マルチフィルム支持フレーム２２の前後左右両側には、斜め内側上方に向けて支持金具としてステー５４・５４を一対ずつ四箇所に突出し、各ステー５４・５４の間に枢支軸を横架し、該枢支軸上に支持ローラー２３を回転自在に枢支し、該支持ローラー２３上にマルチフィルムＦｃをロール状に巻いたマルチフィルムロールＦを回転自在に載置すると共に、
前記支持ローラー２３を支持するステー５４・５４と支持ローラー２３との間に摩擦抵抗を発生させて、該支持ローラー２３の回転制動手段を設けたことを特徴とするマルチフィルム被覆装置。
【発明の詳細な説明】
【０００１】
【発明の属する技術分野】
本発明は、トラクタや管理機等の移動農機後部に畝整形器とマルチフィルム被覆装置を配置し、該マルチフィルム被覆装置におけるロール状に巻いたマルチフィルムを支持する構成に関する。
【０００２】
【従来の技術】
従来から野菜を栽培するために、圃場において畝整形を行うと同時にマルチフィルムを敷設することは行われており、マルチフィルムを敷設することによって土壌の温度を高めたり、保温したりして作物の生育を助長したり、作物を植えた場所以外の畝面に雑草が生えないようにしていた。
このマルチフィルムを機械的に敷設するマルチフィルム被覆装置も公知となっており、ロール状に巻いたマルチフィルム（以下マルチフィルムロール）の一端を引き出して、整形された畝上に被せて、両側を押さえるようにしていた。
このマルチフィルムロールは両側がホルダーによって支持されていたのである。
【０００３】
【発明が解決しようとする課題】
従来のマルチフィルムロールＦのホルダーＨは、図５に示すように、パイプ状の支持フレーム６０の両側にＬ字状に構成した取付杆６１が左右摺動自在に挿入され、止めネジ６２・６２によって位置決め固定されている。そして、取付杆６１の内側端部にロールの芯部分Ｆａを支持するテーパー状に構成されたボビン６３が設けられていた。
このホルダーＨにマルチフィルムロールＦを取り付ける場合には、まず、マルチフィルムロールＦの片側をボビン６３に支持し、次に、他側の取付杆６１を摺動してボビン６３に芯部分Ｆａを支持させてから止めネジ６２で固定していた。
よって取り付けに大変手間がかかり、取付時には常時マルチフィルムロールＦを人手で支えている必要があるためセットがやり難く、また、マルチフィルムを引き出して被覆するが、マルチフィルムを常に張っておかないとシワがより易かったのである。
【０００４】
【課題を解決するための手段】
本発明が解決しようとする課題は以上の如くであり、次に該課題を解決するための手段を説明する。
移動農機の後部にマルチフィルム被覆装置Ｃを配置し、マルチフィルムＦｃをロール状に巻いたマルチフィルムロールＦを左右水平方向に支持して、マルチフィルムＦｃを後方へ引出し、畝上に被覆する構成において、マルチフィルム支持フレーム２２をマルチフィルム被覆装置Ｃの本機側に固定し、該マルチフィルム支持フレーム２２を平面視四角形の枠状に構成し、マルチフィルム支持フレーム２２の前後左右両側には、斜め内側上方に向けて支持金具としてステー５４・５４を一対ずつ四箇所に突出し、各ステー５４・５４の間に枢支軸を横架し、該枢支軸上に支持ローラー２３を回転自在に枢支し、該支持ローラー２３上にマルチフィルムＦｃをロール状に巻いたマルチフィルムロールＦを回転自在に載置すると共に、前記支持ローラー２３を支持するステー５４・５４と支持ローラー２３との間に摩擦抵抗を発生させて、該支持ローラー２３の回転制動手段を設けたものである。
【０００５】
【発明の実施の形態】
本発明の車輪式移動装置を説明する。
図１はマルチフィルム被覆装置の全体側面図、図２は同じく斜視図、図３はマルチフィルムロール支持部の後面図、図４は同じく側面図である。
【０００６】
図１、図２において移動農機をトラクタ１として、該トラクタ１の後部に装着した紙マ  ルチフィルムのマルチフィルム被覆装置Ｃの全体構成から説明する。
トラクタ１の後部には３点リンク式の作業機装着装置Ａを介して、作業機としてロータリ耕耘装置Ｂが装着されている。ロータリ耕耘装置Ｂの前左右中央のギアボックスと、トラクタ１の後面より突出したＰＴＯ軸との間には、ユニバーサルジョイント２を介装して、該ロータリ耕耘装置Ｂのギアボックスから伝動軸やチェーンケース３内のチェーンやスプロケット等を介して耕耘爪軸に動力を伝え、耕耘爪軸上に植設した耕耘爪８を回動することで圃場を内盛り状に耕す。
【０００７】
前記ロータリ耕耘装置Ｂのサポート部より後方に、デプスフレーム４が後方に上下回動自在に突出され、該デプスフレーム４の両側下方にゲージ輪５・５が軸支されている。該デプスフレーム４とトップリンク支持アーム６との間には長さ調節可能な調節リンク７を介装して、該調節リンク７はハンドル９を回動することによってゲージ輪５・５を上下してロータリ耕耘装置Ｂの耕耘深さを調節できるようにしている。
【０００８】
また、ロータリ耕耘装置Ｂ両側のチェーンケース３、及びサイドサポートより後方に支持フレーム１０・１０を突設し、該支持フレーム１０・１０の後部に取付ビーム１１を横設し、該取付ビーム１１の両側よりステー１２・１２を後下方に突設している。以下左右対称に構成されているので一側に付いて説明する。該ステー１２の後下部に取付パイプ１４を上下位置調節可能に横設し、該取付パイプ１４に畝整形板１３を左右位置調節可能に取り付けて耕耘と同時に畝整形を行っている。
そして更に、前記取付パイプ１４の外側に溝付アーム１５の前端を枢支し、該溝付アーム１５と取付パイプ１４より下方へ垂設したステー１６との間にバネ１７を介装して、溝付アーム１５を下方回動するように付勢するとともに、上方へ回動したときには死点越えとなって、上方回動位置で維持でき、収納できるようにしている。前記溝付アーム１５の後部には踏圧輪１８が回転自在に支持され、その後部に覆土ディスク１９が配置されて、溝付け覆土機構を構成している。
【０００９】
そして、前記取付ビーム１１上に支柱２０・２０を立設し、該支柱２０・２０にマルチフィルム被覆装置Ｃが装着されている。即ち、支柱２０・２０に上下位置調節可能に側面視Ｌ字状の載置フレーム２１・２１の前部が固定され、本実施例では、支柱２０・２０に上下方向に開口したピン孔に、載置フレーム２１・２１の前部にピンを抜き差しすることにより上下位置調節可能としている。
該載置フレーム２１・２１後下部に水平方向にマルチフィルム支持フレーム２２が固設され、該マルチフィルム支持フレーム２２は四角形の枠状に構成されて、内側の左右方向の長さをマルチフィルムＦｃの幅よりも長くしている。該マルチフィルム支持フレーム２２の内側に後述する、本発明のマルチフィルムロールＦを回転可能に載置する支持部が構成されている。
【００１０】
そして、前記載置フレーム２１・２１の中途部の後面に円柱状のストッパー２６・２６が付設され、該ストッパー２６・２６と載置フレーム２１・２１上に予備のマルチフィルムロールＦ１を載置できるようにし、このストッパー２６・２６によって載置部上のマルチフィルムロールＦと接触しないようにして、マルチフィルムＦｃが引き出されるときの回転を邪魔しないようにしている。但し、ストッパー２６の形状は限定するものではなくマルチフィルムロールＦ１を受け止められて、補充するときに容易に乗り越えられる構成のものであればよい。
更に予備のマルチフィルムロールＦ１と支柱２０の間の上に予備のマルチフィルムロールＦ２を載置できるようにしており、マルチフィルムロールＦ・Ｆ１・Ｆ２が斜め方向に連続して配置することで、前後方向及び上下方向に長くなることを防止している。但し、本実施例では二つの予備のマルチフィルムロールを載置できるようにしているが、３本以上であってもよくその数は限定するものではない。そしてこのマルチフィルムロールＦ・Ｆ１・Ｆ２の左右両側はロールガイド２７によって保持されている。
なお、左右のロールガイド２７は左右方向に位置調整可能としており、左側のロールガイド２７は外方向に回動可能として、容易にマルチフィルムロールＦをセットしたり取り替えたりできるようにしている。
【００１１】
また、前記マルチフィルム支持フレーム２２の下部には、切断装置Ｄが配置されて、圃場端や作業終了時に切断ハンドル３５を引っ張るとワイヤーが引かれて、マルチフィルムＦを長手方向に対して直角方向に切断できるようにしている。
また、マルチフィルム支持フレーム２２の後左右中央に、ガイドローラー取付フレーム２４が上下及び前後位置調整可能に取り付けられ、該ガイドローラー取付フレーム２４にガイドローラー２５が回転自在に支持されて、引出しガイド機構機を構成している。該ガイドローラー２５は畝の形状に合わせた円錐状に構成されて、一対対向して配置されている。
【００１２】
そして、前記支柱２０・２０の上端には蝶番３０・３０が配置され、ロールカバー３１の前部を枢支し、該ロールカバー３１は載置するマルチフィルムロールＦ・Ｆ１・Ｆ２の上方及び前後左右側面を十分覆う大きさとして、このロールカバー３１によって予備のマルチフィルムロールＦ１・Ｆ２を保持して振動や揺れ等で落下しないようにしている。
そして、ロールカバー３１の後端部には係止具３２を配置しており、該係止具３２に係止される被係止具３３が前記マルチフィルム支持フレーム２２の後部上に立設した取付体３４上に設けられている。
【００１３】
次に本発明のマルチフィルムロールＦを回転可能に載置する、支持部の構成を説明する。
図１〜図４に示すように、前記平面視四角形の枠状に構成したマルチフィルム支持フレーム２２の、前後左右両側には、斜め内側上方に向けて支持金具としてステー５４・５４が一対ずつ、四箇所突出され、各ステー５４・５４の間に枢支軸としてボルト５５を横架し、該ボルト５５上に支持ローラー２３を回転自在に枢支している。
そして、前記ボルト５５の端部にナット５６を螺装して回転制動手段としている。つまり、該ナット５６を締め付ける強さを変更することで、ステー５４・５４と支持ローラー２３との間の摩擦抵抗を調節して、支持ローラー２３の回転を制動できるようにしている。
【００１４】
この支持ローラー２３・２３・２３・２３上に、マルチフィルムロールＦを左右方向に載置している。本実施例では支持ローラー２３を四箇所配置しているが、安定して支えられればその数は限定するものではなく、マルチフィルムロールＦが短い場合には３箇所でも可能であり、長い場合には５箇所以上配置することもできる。
また、ステー５４・５４に一つの支持ローラー２３を配置しているが、二つ以上でも良く、また、支持ローラー２３の幅を長くして、前後に一つずつ支持ローラー２３を配置することもできる。
【００１５】
このようにして、マルチフィルムロールＦからマルチフィルムＦｃの一端を前記前後の支持ローラー２３・２３・２３・２３の間から下方に引出し、ガイドローラー２５の下方から後方へ引出し、畝端に固定して、走行しながら耕耘作業を行えば、同時にマルチフィルムＦｃが引き出されて、マルチフィルムＦｃの両側は踏圧輪１８に押さえられて、覆土ディスク１９によって土が被せられて押さえることができ、畝上にマルチフィルムＦｃを敷設することができる。
このマルチフィルムＦｃの引き出し時において、支持ローラー２３をステー５４・５４で挟み付けることによって、支持ローラー２３の回転が規制され、マルチフィルムＦｃの引き出しにブレーキがかかり、常に一定の力で引っ張られることになって、シワが出来難く、また、走行を停止したり速度が変化したりした場合に、マルチフィルムロールＦの回転の慣性力によりタルミが生じることもなく、きれいに被覆できるのである。
【００１６】
そして、マルチフィルムＦｃがなくなると、ロールカバー３１を上方に回動して開け、左側のロールガイド２７は外方向に回動して芯部材を外し、予備のマルチフィルムＦ１を落下させれば、支持ローラー２３・２３・２３・２３上に落ちて、再びロールガイド２７をセットして端部を引き出せば、容易に被覆作業を続行でき、予備のマルチフィルムロールＦ２はストッパー２６・２６によって受け止められるのである。
【００１７】
【発明の効果】
本発明は以上の如く構成したので、次のような効果を奏するのである。
移動農機の後部にマルチフィルム被覆装置Ｃを配置し、マルチフィルムＦｃをロール状に巻いたマルチフィルムロールＦを左右水平方向に支持して、マルチフィルムＦｃを後方へ引出し、畝上に被覆する構成において、マルチフィルム支持フレーム２２をマルチフィルム被覆装置Ｃの本機側に固定し、該マルチフィルム支持フレーム２２を平面視四角形の枠状に構成し、マルチフィルム支持フレーム２２の前後左右両側には、斜め内側上方に向けて支持金具としてステー５４・５４を一対ずつ四箇所に突出し、各ステー５４・５４の間に枢支軸を横架し、該枢支軸上に支持ローラー２３を回転自在に枢支し、該支持ローラー２３上にマルチフィルムＦｃをロール状に巻いたマルチフィルムロールＦを回転自在に載置すると共に、前記支持ローラー２３を支持するステー５４・５４と支持ローラー２３との間に摩擦抵抗を発生させて、該支持ローラー２３の回転制動手段を設けたので、マルチフィルムロールをホルダーにセットするときに、常に作業者が手で支える必要がなく、簡単にセットできるようになり、両端を支えると中央が撓んでしまうが、複数のローラーで支持するので撓みが小さく安定して引き出すことができる。
【００１８】
また、前記支持ローラーを支持する金具に支持ローラーの回転制動手段を設けたので、マルチフィルムを引き出したときに、マルチフィルムロールの回転に伴って回転される支持ローラーの回転が回転制動手段によって規制され、マルチフィルムを引き出すときに常に一定のブレーキがかかり、シワが出来難くきれいに張られ、また、走行を停止したり速度が変化したりした場合に、マルチフィルムロールＦの回転の慣性力によりタルミが生じることもなく、きれいに被覆できるのである。
【図面の簡単な説明】
【図１】  マルチフィルム被覆装置の全体側面図である。
【図２】  同じく斜視図である。
【図３】  マルチフィルムロール支持部の後面図である。
【図４】  同じく側面図である。
【図５】  従来のマルチフィルムホルダーの平面図とマルチフィルムを外した状態の平面図である。
【符号の説明】
Ｃ    マルチフィルム被覆装置
Ｆ    マルチフィルムロール
２２  マルチフィルム支持フレーム
２３  支持ローラー
５４  ステー
【図１】
0003642902.tif 000002
【図２】
0003642902.tif 000003
【図３】
0003642902.tif 000004
【図４】
0003642902.tif 000005
【図５】
0003642902.tif 000006